(57)【要約】【課題】  利用者がネットワークカラオケの会員であることを前提とせずに、楽曲の歌唱予約したまま帰宅した利用者の予約曲を自動的にキャンセルしたい。【解決手段】  利用者識別子に基づくことのない不特定多数の利用者へ都度アカウントを発行し、楽曲を予約済みのアカウントのユーザが歌唱前に当該アカウントを終了させた場合、予約内容を自動的に削除する。【選択図】図１
2015210400.tif 000002
【特許請求の範囲】
【請求項１】
同時に複数の利用者が利用でき、複数の利用者の同時利用の際の利用者の別を、予め用意されている複数のゲストアカウントとして識別できるネットワークカラオケシステムにおいて、
同一人の複数回使用を含む不特定多数の利用者の、システムへの接続の都度、利用者個体に絶対的に紐づかないゲストアカウントを発行し、
楽曲予約を含む演奏指示を行ったゲストアカウントのユーザが歌唱前に当該アカウントを終了させた場合、当該ゲストアカウントからの当該指示情報を削除することを特徴とするネットワークカラオケシステム。
【発明の詳細な説明】
【技術分野】
【０００１】
本発明は、カラオケ装置において歌唱予約した利用者が、歌唱順到来前に退出した場合の予約した情報を削除する技術に関する。
【背景技術】
【０００２】
カラオケではカラオケ装置１台を専用リモコン１台で複数の利用者が歌唱予約をするというのが一般的で、いわゆるカラオケスナックのような店舗においては、１台のカラオケ装置を見知らぬ来店客同士が共用することも多く、この場合、リモコンを含めカラオケ装置の操作は専ら店のスタッフが行う。
また、いわゆるカラオケボックスのケースでは、店のスタッフの手を借りずに１台のリモコンで仲間同士の利用者だけでカラオケ装置の操作を行うことが多い。
【０００３】
ところで、演奏予約した利用者が何らかの理由によりカラオケ演奏の前に帰宅してしまったようなとき、上記スナックのケースでは、店のスタッフにより歌唱者のいなくなった楽曲の処理をすることができた。一方、カラオケボックスのケースでは、顔見知り同志でカラオケを楽しんでいるため、他の仲間たちが手動でその楽曲をキャンセルしたり、代わりに他の利用者が歌唱したりするなど自分たちの好きなように処理することで事足りていた。
【０００４】
一方、最近では、利用者の多機能携帯端末（スマートフォン）をカラオケ装置のリモコンとして利用できるものが見られ、中には専用リモコンを持たず、スマートフォンのアプリケーションだけで制御するカラオケ装置も登場している。
【０００５】
歌唱予約者がカラオケ装置から離れたり、帰宅してしまったりした場合のカラオケ装置側の対応については各種提案がされている。
【先行技術文献】
【特許文献】
【０００６】
【特許文献１】特開２０１２−４８０８３号公報
【特許文献２】特許４３０６６９４号公報
【特許文献３】特許４４７１３６８号公報
【発明の概要】
【発明が解決しようとする課題】
【０００７】
特許文献１は、一緒に歌唱を行うユーザを指定して演奏予約を行った場合において、演奏開始前に歌唱ユーザ不在となった場合の不都合を解消するというものである。具体的にはログアウトしたユーザをログインしているユーザに変更するというものである。
【０００８】
特許文献２は、同一のカラオケ装置に対して複数のユーザがそれぞれログインして皆でカラオケサービスを利用する際、ログアウトしたユーザの予約コンテンツを適切に扱うための技術を提供するものである。具体的には、予約ユーザのログアウト中にユーザの予約コンテンツの再生開始時期になった場合、当該予約コンテンツをログインユーザではないゲストユーザの予約扱いとするものである。また、当該ユーザが再びログインした場合、ゲストユーザの予約扱いからユーザの予約扱いに復帰させ、ログアウト中に再生が終了したユーザのコンテンツの予約を復活させるというものである。
【０００９】
特許文献３は、利用者ＩＤに基づき利用者登録をしているカラオケ演奏装置にて所定の利用者が当該カラオケシステムからのログアウトする際の当該利用者ＩＤに基づく利用者登録を抹消し、当該利用者による演奏予約が残っていたとしても、人為的な煩わしさを必要とせずに、これを自動的に消去できる装置の提供を課題とする。
【００１０】
特許文献１、特許文献２においては、１台の専用リモコンを共有することが前提で、先に帰った利用者の予約した楽曲を、残っている人たちで処理するというものである。
【００１１】
また、特許文献３では、先に帰った利用者の楽曲を消去するというものであるが、利用者を特定するために会員登録が必要となっている。
【００１２】
最近のカラオケボックスの利用者は、仲間でカラオケの場を共有するにとどまり、個々人が好きな曲を歌うことが多く、仲間といえども他人の予約した楽曲を歌唱することは必ずしも一般的ではなくなってきている。
【００１３】
特許文献１、特許文献２のように途中で帰宅した利用者がいた場合は、他人が代わりに歌唱するのはもはや一般的ではなく、特許文献３のように、消去するのが適切であるが、カラオケで歌唱するのは利用者ＩＤを持っている登録会員だけとは限らない。会員登録している利用者であったとしても、本ケースが対象とするような他の利用者と同席するケースでは、会員ログインして使用しないことも考えられ、帰宅した利用者が会員ログインして利用していることを前提とするのは現実的ではない。
【課題を解決するための手段】
【００１４】
上記の問題を鑑み、本発明の請求項１は、
同時に複数の利用者が利用でき、複数の利用者の同時利用の際の利用者の別を、予め用意されている複数のゲストアカウントとして識別できるネットワークカラオケシステムにおいて、
同一人の複数回使用を含む不特定多数の利用者の、システムへの接続の都度、利用者個体に絶対的に紐づかないゲストアカウントを発行し、
楽曲予約を含む演奏指示を行ったゲストアカウントのユーザが歌唱前にカラオケ機器との接続を解除した場合、当該ゲストアカウントからの当該指示情報を削除することを特徴とするというものである。
【発明の効果】
【００１５】
これにより、カラオケ利用者は予め会員登録しておく必要がなく、また新規に会員登録を行うことなく、途中で帰宅した場合、予約内容が削除される。
【図面の簡単な説明】
【００１６】
【図１】本発明の実施例に係るシステム構成図。
【図２】予約リスト。
【図３】アカウントリスト。
【発明を実施するための形態】
【００１７】
本発明の実施例を図１で説明する。カラオケ装置１にはアクセスポイント５とルータ６が接続されている。
利用者は自分のスマートフォンに専用アプリをインストールして、カラオケ装置１のリモコンとして使用できる。この場合、利用者は自分のスマートフォン２とカラオケ装置１とペアリング（紐づけ）することで、当該カラオケ装置１のリモコンとしての使用が可能となる。図の例では、カラオケ装置１に表示された2次元コード４をスマートフォン２で撮影することでカラオケ装置１固有の情報をスマートフォン２に取り込んでいる。一方、すべての利用者がスマートフォンを持っているとは限らない。スマートフォンを持たない利用者には、カラオケ店で上記アプリをインストールした汎用タブレットを貸出し、複数の利用者で共有するという利用形態が考えられる。
【００１８】
ここで、自分のスマートフォン２を使用しているゲスト１、スマートフォンを持たずに店のタブレット３を借用して使用しているゲスト２、ゲスト３、自分のスマートフォン７を使用しているゲスト４がいるとする。ゲスト１からゲスト４には、予め用意されたゲストアカウント１〜４が割り振られている。
ゲスト２とゲスト３は1台のタブレット２を共有するため、1台のタブレットで複数のゲストアカウントを管理できるようになっている。なおゲスト４は会員Ａとしてログインしている。（図３のアカウントリスト参照）
ここで、ゲスト３が歌唱予約を残したまま、帰宅することになったとする。この発明によると、ゲスト３は帰宅に際し、ゲストアカウント３を終了することで、ゲスト３が送信した未歌唱の楽曲予約が削除される。図２の例では、ゲストアカウント３が削除されるため、楽曲丙が削除される。
【００１９】
さらに、ゲスト２がゲストアカウント２を終了すると、同様に利用者Ｂの予約した楽曲は削除され、図２ではゲストアカウント２が終了するため、楽曲乙が削除される。このときさらにタブレット３とカラオケ装置１のペアリングが解除される。
【００２０】
本発明において、利用者は事前に会員登録などを行って会員ＩＤなどを持っている必要がなく、初めて来店した一見の一般客であっても会員登録など個人情報を一切提供することなくカラオケを楽しむことができる環境で、ログアウトした際の予約楽曲が速やかに削除することができるというものである。
【符号の説明】
【００２１】
１    カラオケ装置
２    スマートフォン（リモコン）
３    タブレット
４    ２次元コード
５    アクセスポイント
６    ルータ
７    スマートフォン（リモコン）
【図２】
2015210400.tif 000003
【図３】
2015210400.tif 000004
【図１】
2015210400.tif 000005